(57)【特許請求の範囲】
【請求項１】
道路用橋梁における地覆上面に取り付けられ、地覆の延長方向に向かって２列以上となるように配置される複数のアンカーボルトと、
地覆から橋梁幅方向外側に張り出すように、前記複数のアンカーボルトによって固定されるベース部材と、
前記ベース部材上に固定される支柱と、
前記支柱に取り付けられる横梁と、を備え、
前記ベース部材に対して前記支柱が固定部材により固定され、
前記固定部材は橋梁幅方向での前方と後方とに設けられており、これらが前記複数のアンカーボルトよりも橋梁幅方向外側に位置する橋梁用防護柵の設置構造。
【請求項２】
地覆において橋梁上の道路に面する内面から、横梁のうちで最も道路に近い位置までの水平距離が２５０mm以上であって、
前記水平距離の範囲内に前記複数のアンカーボルトのうち少なくとも一部が位置する、請求項１に記載の橋梁用防護柵の設置構造。
【請求項３】
前記ベース部材を上方から覆うベースカバーを更に備える、請求項１または２に記載の橋梁用防護柵の設置構造。
【請求項４】
地覆及び前記ベース部材を上方から覆う全体カバーを更に備える、請求項１または２に記載の橋梁用防護柵の設置構造。
【請求項５】
道路用橋梁における地覆上面に取り付けて用いるベース部材であって、
地覆の延長方向に向かって２列以上となるように配置される複数のアンカーボルトが貫通するように、前後に設けられた複数のアンカーボルト取付孔と、
橋梁用防護柵の支柱を取り付ける支柱取付用ボルト孔と、を備え、
前記支柱取付用ボルト孔は前方と後方とに設けられており、これらが前記複数のアンカーボルト取付孔よりも後方に位置する、橋梁用防護柵用のベース部材。
【請求項６】
前記アンカーボルト取付孔の周囲には上端が開口した凹部が形成され、
前記凹部は、当該凹部の上端から前記複数のアンカーボルトが突出しないように、アンカーボルトを収容できる、請求項５に記載の橋梁用防護柵用のベース部材。
【請求項７】
地覆に複数のアンカーボルトを埋め込む工程と、
地覆上に、請求項５または６に記載のベース部材を配置し、前記アンカーボルトにナットをねじ込むことにより、地覆に対して前記ベース部材を固定する工程と、
前記ベース部材上に支柱を載せ、前記支柱取付用ボルト孔に取り付けられた状態とされたボルトにナットをねじ込むことで、前記支柱を前記ベース部材に取り付ける工程と、
前記支柱に横梁を取り付ける工程と、を有する橋梁用防護柵の設置工法。
【発明の詳細な説明】
【技術分野】
【０００１】
本発明は、特に既設橋梁用防護柵の更新に好適である橋梁用防護柵の設置構造、橋梁用防護柵用のベース部材、そして、橋梁用防護柵の設置工法に関する。
【背景技術】
【０００２】
近年、老朽化した道路構造物などの社会インフラが損傷することにより、死傷者の発生するような重大事故が発生している。このため、老朽化した社会インフラの更新が急務となっており、この更新が国や自治体によって推進されている。
【０００３】
これに関連した既設橋梁用防護柵の更新工法につき、例えば、本願の出願人等により特許文献１に記載された工法が提案されている。この工法は、まず、コンクリート製の地覆から既設の橋梁用防護柵を除去し、更に、既設アンカーボルトにおいて地覆から突出した部分を除去する。この後、地覆に新しいアンカーボルト（例えば後施工アンカーボルト）を設置することで、地覆に新しい橋梁用防護柵を取り付ける工法である。
【０００４】
ところで、特に自治体（都道府県及び市区町村）が管理する橋梁は、国が管理する橋梁に比べて、例えば設置時期が古かったり橋長が短かったりすること等により地覆の幅が狭く形成されていることが多い。このような幅の狭い地覆に対しては、従来、既設橋梁用防護柵を更新する際、新しいアンカーボルトを地覆の延長方向に向かって複数列に設置できず、新しいアンカーボルトを地覆に深く埋め込むことで対処していた。
【０００５】
しかし、幅の狭い地覆に後施工アンカーボルトを設置する場合、車両衝突に耐えうるコンクリートの有効せん断面積を確保するためにアンカーボルトを深く埋め込む必要があるが、例えば古い橋梁は地覆高が低く、床版までの距離が小さいため、アンカーボルトを十分な埋め込み深さで設置困難なケースが多い。このため、例えば橋梁用防護柵に車両が衝突した場合、この衝突によりアンカーボルトにかかる力によりアンカーボルトが地覆から引き抜かれてしまうことで、橋梁用防護柵が河川に落下し、それと共に車両も河川に落下してしまう可能性があって問題であった。また、アンカーボルトを設置できたとしても、地覆の幅が狭いことにより、道路構造令において定められた建築限界を確保できないケースが多くある。
【０００６】
また、既設地覆を除去した上で拡幅した地覆を再度形成する方法もあるが、工事が大掛かりとなるために工期が長くかかり、長期にわたり交通規制が必要になる等、周囲に与える影響が大きい。そして、拡幅した地覆は拡幅前より重量が増加するため、橋梁の床版や橋脚にかかる負担が大きくなってしまう。
【０００７】
また、地覆の橋梁幅方向外面（橋梁上の道路に面する側とは反対側の面、または河川側の面）にアンカーボルトにより金具を固定し、その金具に新しい支柱を取り付ける方法もあるが、金具を固定するアンカーボルトに常時引き抜き荷重がかかる可能性があるから、安全性及び耐久性に難がある。そして、地覆の橋梁幅方向外面にアンカーボルトを施工するためには、河川上に仮設足場を組む必要があるので工事施工コストが増加する。
【先行技術文献】
【特許文献】
【０００８】
【特許文献１】特許第５１９０５９９号公報
【発明の概要】
【発明が解決しようとする課題】
【０００９】
そこで本発明は前記問題に鑑み、幅の狭い地覆であっても十分に強度を確保できる橋梁用防護柵の設置構造、橋梁用防護柵用のベース部材、橋梁用防護柵の設置工法を提供することを課題とする。
【課題を解決するための手段】
【００１０】
本発明は、道路用橋梁における地覆上面に取り付けられ、地覆の延長方向に向かって２列以上となるように配置される複数のアンカーボルトと、地覆から橋梁幅方向外側に張り出すように、前記複数のアンカーボルトによって固定されるベース部材と、前記ベース部材上に固定される支柱と、前記支柱に取り付けられる横梁と、を備え、前記ベース部材に対して前記支柱が固定部材により固定され、前記固定部材は橋梁幅方向での前方と後方とに設けられており、これらが前記複数のアンカーボルトよりも橋梁幅方向外側に位置する橋梁用防護柵の設置構造である。
【００１１】
また本発明は、道路用橋梁における地覆上面に取り付けて用いるベース部材であって、地覆の延長方向に向かって２列以上となるように配置される複数のアンカーボルトが貫通するように、前後に設けられた複数のアンカーボルト取付孔と、橋梁用防護柵の支柱を取り付ける支柱取付用ボルト孔と、を備え、前記支柱取付用ボルト孔は前方と後方とに設けられており、これらが前記複数のアンカーボルト取付孔よりも後方に位置する、橋梁用防護柵用のベース部材である。
【００１２】
これらの構成によると、地覆と支柱との間にベース部材を設けることで支柱を地覆からずらせて配置できる。このようにずらせて配置した分、幅の狭い地覆であっても、地覆上面に、地覆の延長方向に向かって２列以上となるように配置される複数のアンカーボルトを取り付ける十分なスペースが確保される。このため、幅の狭い地覆であっても複数のアンカーボルトを用いて支柱を固定できる。よって、複数のアンカーボルトにより支柱が十分な強度で固定される。
そして、支柱をベース部材に固定する固定部材をアンカーボルトとは別に設けることができる。このため、固定部材ではベース部材の変形荷重を負担でき、アンカーボルトでは、橋梁用防護柵に車両が衝突した場合等に生じる引き抜き荷重を負担できるので、固定部材とアンカーボルトとで負担する荷重を分散できる。よって、アンカーボルトの負担すべき荷重が小さくなる分、アンカーボルトの地覆への埋め込み深さを小さくできる可能性がある。
【００１３】
また、地覆において橋梁上の道路に面する内面から、横梁のうちで最も道路に近い位置までの水平距離が２５０mm以上であって、前記水平距離の範囲内に前記複数のアンカーボルトのうち少なくとも一部が位置するようにできる。
【００１４】
この構成によると、支柱を十分な強度で固定でき、かつ、道路構造令において定められた建築限界に適合した構造で橋梁用防護柵を設置することを容易にできる。
【００１８】
また、前記ベース部材を上方から覆うベースカバーを更に備えるようにできる。
【００１９】
また、地覆及び前記ベース部材を上方から覆う全体カバーを更に備えるようにできる。
【００２０】
これらの構成によると、橋梁用防護柵の美観を向上でき、ベース部材及びアンカーボルトの腐食を抑制できる。そして、もし車両がベース部材上に乗り上げた場合であっても、車両が損傷することを抑制できる。
【００２１】
また、前記アンカーボルト取付孔の周囲には上端が開口した凹部が形成され、前記凹部は、当該凹部の上端から前記複数のアンカーボルトが突出しないように、アンカーボルトを収容できる橋梁用防護柵用のベース部材とできる。
【００２２】
この構成によると、ベース部材からアンカーボルトが突出しないようにできる。このため、もし車両がベース部材上に乗り上げた場合であっても、車両が損傷することを抑制できる。
【００２３】
また本発明は、地覆に複数のアンカーボルトを埋め込む工程と、地覆上に、前記ベース部材を配置し、前記アンカーボルトにナットをねじ込むことにより、地覆に対して前記ベース部材を固定する工程と、前記ベース部材上に支柱を載せ、前記支柱取付用ボルト孔に取り付けられた状態とされたボルトにナットをねじ込むことで、前記支柱を前記ベース部材に取り付ける工程と、前記支柱に横梁を取り付ける工程と、を有する橋梁用防護柵の設置工法である。
【００２４】
この方法によると、幅の狭い地覆であっても支柱を十分な強度で固定した橋梁用防護柵を提供できる。
【発明の効果】
【００２５】
本発明によると、地覆と支柱との間にベース部材を設けることで、地覆に対して支柱が十分な強度で固定される。よって、幅の狭い地覆であっても十分に強度を確保できる橋梁用防護柵の設置構造、橋梁用防護柵用のベース部材、橋梁用防護柵の設置工法を提供できる。
【図面の簡単な説明】
【００２６】
【図１】本発明につき、一実施形態に係る橋梁用防護柵（横梁を除く）を地覆上に設けた状態を示す斜視図である。
【図２】同橋梁用防護柵（横梁を除く）を地覆上に設けた状態を示し、（ａ）は正面図、（ｂ）は平面図、（ｃ）は（ｂ）のＡ−Ａ矢視の縦断面図（横梁を二点鎖線で表示）である。
【図３】同橋梁用防護柵のベース部材を示し、（ａ）は平面図、（ｂ）は右側面図、（ｃ）は（ａ）のＢ−Ｂ矢視の縦断面図、（ｄ）は底面図、（ｅ）は（ａ）のＣ−Ｃ矢視の縦断面図である。
【図４】同橋梁用防護柵の補強アングルを示し、（ａ）は正面図、（ｂ）は（ａ）のＤ−Ｄ矢視の縦断面図である。
【図５】本発明につき、ベースカバーを備えた実施形態に係る橋梁用防護柵を地覆上に設けた状態を示し、（ａ）は正面図、（ｂ）は平面図である。
【図６】本発明につき、全体カバーを備えた実施形態に係る橋梁用防護柵を地覆上に設けた状態を示し、（ａ）は正面図、（ｂ）は平面図である。
【図７】橋梁用防護柵の設置工法につき、（ａ）〜（ｆ）に順を追って示した概略図である。
【発明を実施するための形態】
【００２７】
次に、本発明につき実施形態を取り上げて説明を行う。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。
【００２８】
また、以下説明における「前後左右」の表現は、図１及び図３（ａ）に記載した方向に基づき、「上下方向」の表現は、図１に記載した方向に基づいている。
【００２９】
本実施形態の橋梁用防護柵の設置構造として、図１及び図２（ａ）〜（ｃ）に示すように構成され、「高欄」とも呼ばれる支柱１及び横梁２（図１には示していない）が組み合わされてなる橋梁用防護柵に加え、地覆Ｗと支柱１との間に配置されるアタッチメントとして機能するベース部材３を備える。更に、本実施形態の橋梁用防護柵の設置構造としては、地覆Ｗの橋梁幅方向外面（橋梁上の道路中央に面する側と反対側の面であって、図１における後面）に接するように設けられる補強アングル４を備える。なお、本発明において補強アングル４は必須ではなく、補強アングル４の無い橋梁用防護柵の設置構造を構成することもできる。
【００３０】
ベース部材３は鋳鉄製（より詳しくはダクタイル鋳鉄製）である。ただし、ベース部材３の素材はこれに限定されず、例えばアルミ鋳物、鉄、ステンレス合金等、種々の素材で形成できる。このベース部材３は、図３（ａ）〜（ｅ）に示す形状であり、平面視で略長方形とされた板状のものである。このベース部材３は、図１及び図２（ａ）〜（ｃ）に示すように地覆Ｗ上に配置される場合において、前方が橋梁上の道路に面するように位置し、左右方向が地覆Ｗの延長方向（左右方向）に位置する。このベース部材３は、地覆Ｗから橋梁幅方向（前後方向）外側に張り出すように地覆Ｗ上に固定される。
【００３１】
ベース部材３における前方寄りの位置にはアンカーボルト取付部３１が形成されている。このアンカーボルト取付部３１には４個のアンカーボルト取付孔３１１が形成されており、地覆Ｗの上面から地覆Ｗに埋め込まれることで、地覆Ｗの上面に取り付けられたアンカーボルトＢ１に対してナット止めで締結される。なお、アンカーボルトＢ１は上下方向に延びるように地覆Ｗに埋め込まれる。アンカーボルト取付孔３１１は、左右方向に長い長孔、つまり、地覆Ｗへの設置時において地覆Ｗの延長方向（左右方向）に沿って延びる長孔とされている。このようにアンカーボルト取付孔３１１が長孔とされたことにより、例えばアンカーボルトＢ１の設置予定位置に地覆Ｗ内部の鉄筋が存在する場合、鉄筋を避けるためにアンカーボルトＢ１をずらせて設置できる。
【００３２】
本実施形態のアンカーボルト取付部３１には４個のアンカーボルト取付孔３１１が形成されているが、アンカーボルト取付孔３１１の形成数はこれに限定されない。例えば、アンカーボルト取付孔３１１として形成された一つの長孔を共用するようにして、２本のアンカーボルトＢ１が取り付けられるようアンカーボルト取付部３１を構成することもできる。
【００３３】
アンカーボルト取付部３１は、図３（ａ）（ｃ）（ｅ）に示すように凹部３１２を有する。一つの凹部３１２に、前後方向に並ぶ二つのアンカーボルト取付孔３１１が形成されている。ベース部材３は、底面３ａから上面３ｂまでの距離に関し、凹部３１２の上端からベース部材３の底面３ａまでの距離が、地覆Ｗの上面からアンカーボルトＢ１が突出する高さよりも大きいものとされている。このため、図１及び図２（ａ）に示すように、地覆Ｗから突出したアンカーボルトＢ１の上端部分をこの凹部３１２に納めるようにでき、ベース部材３の上面３ｂから突出しないようにできる。よって、地覆Ｗ上にベース部材３を取り付けた際の美観に優れる。更に、もし車両がベース部材３上に乗り上げた場合であっても、アンカーボルトＢ１の上端部分がタイヤに当たることを抑制できるため、バースト等のタイヤ損傷が起こりにくい。
【００３４】
凹部３１２においてアンカーボルトＢ１を支持する底部については、図３（ｃ）に示すように、前方領域３１２ａの板厚よりも後方領域３１２ｂの板厚の方が大きい。この理由は以下の想定によっている。つまり、支柱１の上部荷重の反力はアンカーボルトＢ１で受けられるのであるが、支点（固定部材としての支柱取付用ボルトＢ２）からの距離が近い、後方側のアンカーボルトＢ１の方が、前方側のアンカーボルトＢ１より大きな反力を受けると想定されるため、当該反力に対抗するためである。また、凹部３１２の後端部において縦断面形状が急変していることによる応力集中に対応するためでもある。
【００３５】
ベース部材３における後方の領域には支柱取付部３２が形成されている。この支柱取付部３２の上面は支柱１の下端プレート１１が配置できる形状とされている。この支柱取付部３２には支柱取付用ボルト孔３２１が形成されており、支柱取付用ボルトＢ２が取り付けられて、支柱１の下端プレート１１が固定される。ベース部材３は図３（ｃ）に示すように、この支柱取付部３２において、底面３ａから上面３ｂにわたって必要となる断面性能が確保されており、支柱１及び横梁２の荷重、及び、例えば強風時や車両の衝突時に、支柱１及び横梁２が橋梁幅方向外側（後方）に倒れ込もうとすることによりベース部材３に働く曲げ応力を、ベース部材３の撓みを弾性範囲内とし、材料の耐力値以下におさめることが可能である。
【００３６】
支柱取付部３２に支柱取付用ボルト孔３２１は４個設けられている。そのうち前方に位置する２個は左右方向で相対的に小さい間隔で設けられ、後方に位置する２個は左右方向で相対的に大きい間隔で設けられている。なお、これに限定されず、例えば、前方に位置する２個と後方に位置する２個とを同一間隔で設けることもできる。図３（ｃ）に示すように、支柱取付用ボルト孔３２１は底面３ａ側において拡大された拡大部３２１ａを有する。この拡大部３２１ａは、図３（ｄ）に示すように、底面視で左右方向に対向する平面３２１ｂを有する形状である。支柱取付用ボルトＢ２として六角ボルトが用いられた場合、図２（ｃ）に示すように、この拡大部３２１ａにはボルト頭部が位置する。ボルト頭部は平面３２１ｂに当たることにより、支柱取付用ボルトＢ２の回り止めがなされる。このため、支柱取付用ボルトＢ２に対して上面３ｂ側からナットをねじ込むだけでベース部材３に支柱１を固定できる。なお、図示はしていないが、例えばこの拡大部３２１ａに、支柱取付用ボルトＢ２が支柱取付用ボルト孔３２１から脱落しないようにする脱落防止機構が設けられており、図７（ｂ）に示した状態でも支柱取付用ボルトＢ２が脱落しないようにされている。
【００３７】
支柱取付部３２はアンカーボルト取付部３１に対して後方（地覆Ｗの橋梁幅方向外側）に離れて位置している。このため、地覆Ｗと支柱１との間にベース部材３を設けることで支柱１を地覆Ｗからずらせて配置できる。このようにずらせて配置した分、幅の狭い地覆Ｗであっても、地覆上面に、地覆Ｗの延長方向に向かって２列以上となるように配置される複数（本実施形態では４本）のアンカーボルトＢ１を取り付ける十分なスペースが確保される。なお、前記「２列」には、各列が１本だけで構成される場合も含まれる。このため、幅の狭い地覆Ｗであっても、地覆Ｗの延長方向に向かって２列以上となるように配置される複数のアンカーボルトＢ１を用いて支柱１を固定できる。よって、複数のアンカーボルトＢ１により支柱１が十分な強度で固定される。
【００３８】
また、支柱取付用ボルトＢ２をアンカーボルトＢ１とは別に設けている。このため、支柱取付用ボルトＢ２ではベース部材３の変形荷重を負担できることが想定され、この想定を前提とすると、アンカーボルトＢ１では、橋梁用防護柵に車両が衝突した場合等に生じる引き抜き荷重を負担できるので、支柱取付用ボルトＢ２とアンカーボルトＢ１とで負担する荷重を分散できる。よって、アンカーボルトＢ１の負担すべき荷重が小さくなる分、アンカーボルトＢ１の地覆Ｗへの埋め込み深さを小さくできると考えられる。
【００３９】
また、アンカーボルトＢ１と支柱取付用ボルトＢ２とが互いに干渉しない。よって、地覆Ｗへのベース部材３の固定と、ベース部材３への支柱１の固定とを別個の工程で行うことができるので、橋梁用防護柵の更新工事を効率良く行うことができる。
【００４０】
なお、本実施形態とは異なり、アンカーボルト取付孔３１１の一部または全部を支柱取付用ボルト孔３２１が兼ねることもできる。この場合、アンカーボルトＢ１の一部または全部を、ベース部材３に対して支柱１を固定するために用いることができる。ただしこの場合では、後述する道路構造令の建築限界に適合させるため、例えば特別な形状の支柱１を用意することが必要になるため、本実施形態のようにアンカーボルト取付孔３１１と支柱取付用ボルト孔３２１とは別個に形成することが望ましい。
【００４１】
ベース部材３における後方で、支柱取付部３２よりも左右方向端寄りには補強アングル取り付け孔３３が形成されている。この補強アングル取り付け孔３３は前後方向に延びる長孔であり、補強アングル４を取り付ける際に用いられる。
【００４２】
ベース部材３の前方隅部には一定曲率のアール部３４が形成されている。また、ベース部材３の上面３ｂのうち前方部分は、図３（ｂ）に示すように前方に向かい降下するように傾斜した、テーパ形状とされている。このように前方部分がテーパ形状とされたベース部材３により、もし車両がベース部材３上に乗り上げた場合であっても、衝撃の発生及び車両の振動を抑制できる。
【００４３】
図３（ｂ）（ｄ）（ｅ）に示すように、ベース部材３の左右方向両端であって前後方向略中央には引掛凹部３５が形成されている。この、引掛凹部３５は作業員の持ち手として使用され、手作業によるベース部材３の運搬が容易となる。また、図３（ｃ）（ｄ）（ｅ）に示すように、ベース部材３で荷重負担に直接寄与しない、左右方向両端部分及び前方部分には、底面側に開口した肉盗み部３６が形成されており、ベース部材３の軽量化に貢献している。
【００４４】
ベース部材３は、図１及び図２（ａ）〜（ｃ）に示すように地覆Ｗに取り付けられた状態で、図示のように前端が地覆Ｗ上に位置し、後端が地覆Ｗよりも後方（橋梁幅方向外側方向）に張り出す。この状態で取り付けられた支柱１は、地覆Ｗに対して後方（橋梁幅方向外側方向）にオフセットされた状態となるため、幅の狭い地覆Ｗであっても、後述する道路構造令の建築限界に適合させることができる。
【００４５】
支柱１及び横梁２は、従来用いられていたものと同構造のものを使用できる。支柱１の下端には下端プレート１１が設けられている。この下端プレート１１とベース部材３を固定部材で締結する。このため、下端プレート１１にはボルト貫通孔１１１が形成されている。なお、本実施形態では、この固定部材として支柱取付用ボルトＢ２及びナットが用いられているが、その他の締結手段を用いることもできる。また、本実施形態では、支柱取付用ボルトＢ２として六角ボルトが用いられているが、六角ボルト以外のボルトを用いることもできる。また、場合によっては（具体的にはベース部材３として溶接可能な素材で形成した場合）、下端プレート１１をベース部材３に対して溶接することもできる。横梁２は、図２（ｃ）に示すように、支柱１の前方に形成された凹部に取り付けられ、図５（ａ）及び図６（ａ）に示すように、地覆Ｗの延長方向に沿って位置する。
【００４６】
なお、支柱１とベース部材３とを一体に構成することも可能であり、この構成では、ベース部材３に支柱１を固定する手間が省けるというメリットがある。ただ、この構成では支柱１とベース部材３との結合体の重量が各々の重量よりも大きくなり、場合によっては重機が必要となること、及び、地覆Ｗに対する支柱１の位置調整がしにくくなるというデメリットがある。更に、支柱１とベース部材３とを一体に構成した場合、例えば支柱１とベース部材３の一方だけが損傷した場合であっても全部を交換しないとならないが、別体で構成しておけば損傷した部分だけを交換できる。これらにより、支柱１とベース部材３とは別体で構成することが望ましい。
【００４７】
ここで、道路構造令（政令）において道路の建築限界が定められている。これによると、車道の外端、つまり、地覆Ｗの内面から構造物を２５０mm以上離すことが要求されている。
【００４８】
地覆Ｗに対してアンカーボルトを設置する場合、地覆Ｗ内部の鉄筋、特にフープ筋に囲まれた領域にアンカーボルトＢ１を配置しないと十分な引き抜き強度を発揮できない。一方、この領域にアンカーボルトを配置しつつ建築限界に適合させることは、特に幅の狭い地覆Ｗでは難しかった。
【００４９】
本実施形態では、ベース部材３により支柱１を後方（橋梁幅方向外側方向）にオフセットできるため、地覆Ｗの内面から、横梁２のうちで最も道路に近い位置までの水平距離Ｘ（図２（ｃ）参照）を２５０mm以上とできる。このため、容易に道路構造令の要求を満たすことができる。本実施形態では、図２に示すように４本のアンカーボルトＢ１全てが水平距離Ｘの範囲内に位置している。ただしこれに限定されず、例えば前方に位置するアンカーボルトＢ１等、複数のアンカーボルトのうち少なくとも一部のみが水平距離Ｘの範囲内に位置するよう構成されることもできる。以上、支柱１が後方にオフセットされるため、幅の狭い地覆Ｗを有する橋梁における防護柵の更新を促進できる。また、ベース部材３を用いることにより、支柱１及び横梁２については、建築限界を満たすための特殊な形状のものを用いずに、従来用いられていた形状のものがそのまま使用できる。
【００５０】
本実施形態のアンカーボルトＢ１は、支柱１の１本当たりで４本が用いられる。なお、３本または５本以上が用いられることもできる。従来のようにアンカーボルトＢ１の１本当たりの地覆Ｗへの埋め込み長さを大きくしなくても、本数が多い分、アンカーボルトＢ１の１本当たりの負担荷重が小さくなるので、相対的に小さい埋め込み長さで十分な引き抜き強度を確保できる。アンカーボルトＢ１には、ケミカルアンカー等の後施工アンカーを用いることができる。
【００５１】
補強アングル４は、図１及び図２（ｃ）に示すように、地覆Ｗの後面（橋梁幅方向外側の面）に取り付けられる。この補強アングル４は、図４（ａ）（ｂ）に示すように、鋼製のアングル材４１に複数のリブ４２が溶接されて補強されたものである。ただし、補強アングル４の素材はこれに限定されず、例えば鋳鉄等、種々の素材で形成できる。また、アングル材４１の一面側にナット４３が溶接固定されている。このナット４３にアングル固定ボルトＢ３がねじ込まれる。アングル固定ボルトＢ３だけで補強アングル４をベース部材３に取り付け可能なので、仮設足場を組むことなく取り付けが可能である。この補強アングル４は地覆Ｗの後面に当接する。これにより、支柱１が後方に倒れ込もうとすることでベース部材３に生じる曲げ応力を緩和できる。また、車両の衝突時にベース部材３が地覆Ｗに与える圧縮応力を低減できるので、前記圧縮荷重が局所的に働くことによる地覆Ｗの欠け等の損傷を抑制できる。
【００５２】
なお、ベース部材３を覆うようにカバー５を取り付けることもできる。このカバー５は、例えば合成樹脂で形成され、図５（ａ）（ｂ）にハッチングを付して示すように、ベース部材３のみを覆うベースカバー５ａとして実施することができ、また、図６（ａ）（ｂ）にハッチングを付して示すように、ベース部材３及び地覆Ｗの上部を覆う全体カバー５ｂとして実施することもできる。カバー５の取り付けは種々の手段により行うことができる。例えば、ベース部材３への嵌合、ボルト止め、地覆Ｗ上に設置したレールへの固定等で行うことができる。なお、カバー５の素材はこれに限定されず、例えばアルミニウム合金や鋼等、種々の素材で形成できる。
【００５３】
カバー５を設けることにより、橋梁用防護柵の美観を向上でき、ベース部材３及びアンカーボルトＢ１の腐食を抑制できる。また、もしも車両がベース部材上に乗り上げた場合であっても、車両、ベース部材３、地覆Ｗのそれぞれを損傷することを抑制できる。特に、全体カバー５ｂの場合、全体カバー５ｂの上面に凹凸を生じないようにできるため、もし車両がベース部材上に乗り上げた場合であっても、車両のタイヤがベース部材３の部分で引っ掛かることが起こりにくいので、車両を速やかに道路上に誘導させることができる。また、カバー５が合成樹脂で形成された場合、仮に車両の衝突、または強風や河川の増水により地覆Ｗからカバー５が離脱しても、歩行者や他の構造物にカバー５が当たった際に生じる危険性を低減できる。
【００５４】
次に、本実施形態の橋梁用防護柵を用いた、橋梁用防護柵の設置工法の一例である、既設橋梁用防護柵の更新工法について説明する。ただし、施工順は以下の説明順に限定されるものではなく、順序を適宜前後させることもできる。まず、地覆Ｗから既設橋梁用防護柵の支柱及び横梁を除去する。次に、地覆Ｗに埋め込まれていた既設アンカーボルトのうち、少なくとも地覆Ｗの上面から突出した部分を除去する。また必要により、地覆Ｗの表面等の補修を行う。次に、図７（ａ）に示すように、地覆Ｗに４本の新たなアンカーボルトＢ１を埋め込む。次に、図７（ｂ）に示すように、支柱取付用ボルト孔３２１の下方から支柱取付用ボルトＢ２を通した状態としたベース部材３を地覆Ｗ上に位置させ、図７（ｃ）に示すように、ベース部材３のアンカーボルト取付孔３１１にアンカーボルトＢ１を通してナットＮ１をねじ込む。なお、ナットＮ１はこの段階では仮止め状態としておく。
【００５５】
次に、図７（ｄ）に示すように、支柱１をベース部材３の支柱取付部３２上に位置させ、図７（ｅ）に示すように、支柱１における下端プレート１１のボルト貫通孔１１１を貫通した支柱取付用ボルトＢ２に対してナットＮ２をねじ込む。なお、ナットＮ２はこの段階では仮止め状態としておく。次に、図７（ｆ）に示すように、支柱１に横梁２を取り付ける。その後、各部の位置関係を調整し、アンカーボルトＢ１及び支柱取付用ボルトＢ２にねじ込まれたナットＮ１，Ｎ２と、横梁２の取付用のボルト・ナットを本締めして完成する。なお、必要な場合には、ベース部材３の下方に補強アングル４を取り付ける。補強アングル４はベース部材３に先に取り付けておいてもよいし、工程の最後でベース部材３に取り付けてもよい。
【００５６】
以上、本実施形態では、ベース部材３が地覆Ｗを後方（橋梁幅方向外側方向）に延長するアタッチメントである「地覆延長部材」として作用する。このため、幅の狭い地覆Ｗであっても、地覆Ｗの延長方向に向かって２列以上となるように配置される複数（本実施形態では４本）のアンカーボルトＢ１で支柱１を支持できる。しかも建築限界も確保できる。このため、強度を確保しつつ安全性が高い。また、地覆Ｗを再構築する必要がない。また、地覆Ｗ上だけで既設橋梁用防護柵の更新工法の作業を完結できる（橋梁上だけで施工可能である）ため、河川上である橋梁の後方（外方）に仮設足場を設置する必要がなく、工期の短縮及び工事施工コストの低減が可能である。また、更新工法を実施するための各部材を、作業員が人力で持ち運ぶことのできるように構成できるため、重機を使う必要がなく、工事施工コストを低減できる。
【００５７】
なお、本実施形態の工法は、ここまで説明してきた既設橋梁用防護柵の更新だけに限定されず、例えば橋梁用防護柵の設けられていなかった地覆Ｗに対し、新たに橋梁用防護柵を設ける際に適用することもできる。更には、新設した地覆Ｗに対してこの工法を適用することもできる。
【００５８】
以上、本発明の実施形態について説明したが、本発明は前記の各実施形態に限定されるものではなく、本発明の要旨を逸脱しない範囲内において種々の変更を加えることができる。
【符号の説明】
【００５９】
１      支柱
２      横梁
３      ベース部材
３ａ    ベース部材の底面
３ｂ    ベース部材の上面
３１１  アンカーボルト取付孔
３１２  凹部
３２１  支柱取付用ボルト孔
５ａ    ベースカバー
５ｂ    全体カバー
Ｂ１    アンカーボルト
Ｂ２    固定部材、支柱取付用ボルト
Ｗ      地覆
Ｘ      水平距離
【図１】
0006410553.tif 000002
【図２】
0006410553.tif 000003
【図３】
0006410553.tif 000004
【図４】
0006410553.tif 000005
【図５】
0006410553.tif 000006
【図６】
0006410553.tif 000007
【図７】
0006410553.tif 000008